(57)【特許請求の範囲】
【請求項１】
少量の内容物を噴霧するための小型手動式噴霧器であって、下記（ａ）〜（ｆ）：
（ａ）前記噴霧器の外部を形成し、内容物を保持する容器の頂部にカップリングされている本体；
（ｂ）前記本体の内部に搭載された、ボタンの上下運動によって内容物を前記容器から外へ吸い出すための手動式ポンプ；
（ｃ）前記手動式ポンプの頂部上に搭載され、前記手動式ポンプと連通するように中空構造を有するボタンであって、前記手動式ポンプと連通する垂直な溝および前記垂直な溝から延びる水平な溝を含むボタン；
（ｄ）前記ボタンにおける前記水平溝中に搭載された噴霧ノズル；
（ｅ）一方の側で、前記噴霧ノズルを含む前記ボタンの前端部分が露出し、他方の側で、前記本体と回転可能にカップリングされるトリガーであって、前記トリガーのハンドルが引かれると、前記トリガーが前記ボタンを下方に押し、前記ハンドルが開放されると、前記トリガーが復元力のために元の位置に戻るトリガー；および
（ｆ）前記トリガーと前記本体の回転カップリング部分に備えられ、必要に応じて前記本体に対する前記トリガーの操作を可能または不可能ならしめるロッキング装置
を含み、
前記トリガー上の、前記回転カップリング部分の前方部分に、下方に延びる内部リブが形成され、
前記本体の内部の、前記内部リブに対応する位置に、上方に延びる突き出し部分が形成され、
前記内部リブと突き出し部分が、それらの間に空隙を形成するように、互いから離れて間隔を開けられ、
前記トリガーのハンドルが引かれたときに、前記空隙によって前記トリガーが前記本体に対して回転でき、
前記トリガーがロックされた状態にあるときに、前記ロッキング装置の前端部分が、前記内部リブと前記突き出し部分の間の前記空隙内に挿入される
ことを特徴とする噴霧器。
【請求項２】
前記ロッキング装置が；
前記トリガーの操作を不可能ならしめる、または可能ならしめるために、前記空隙内に挿入され、またはそこから取り除かれるロッキング部分；および
前記噴霧器から露出しながら前記ロッキング部分から延び、前記ロッキング部分が前記空隙内に挿入されまたはそこから取り除かれるように操作される操作部分；
を含むことを特徴とする請求項１に記載の噴霧器。
【請求項３】
前記操作部分が、前記ロッキング部分にヒンジ状に接続される支持部を含むことを特徴とする請求項２に記載の噴霧器。
【請求項４】
前記ロッキング部分と前記支持部の間のジョイントの下方部分に、前記ジョイントで曲がることを助けるための溝が形成されることを特徴とする請求項３に記載の噴霧器。
【請求項５】
前記操作部分が上方向に操作されるときに、前記支持部が前記本体の上方内面と密に接触した状態になるように、前記支持部が前記本体の上方部分に対応する形状を有することを特徴とする請求項３に記載の噴霧器。
【請求項６】
前記ロッキング部分が、水平な板の形状を有することを特徴とする請求項２に記載の噴霧器。
【請求項７】
前記操作部分の一部が前記本体から露出し、前記露出部分が水平な半円の形状を有することを特徴とする請求項２に記載の噴霧器。
【発明の詳細な説明】
【技術分野】
【０００１】
本発明は、少容量の内容物を噴霧するための小型手動式噴霧器に関し、より詳細には、噴霧器の外部を形成する本体、ここで本体は、内容物を保持する容器の頂部にカップリングされている；ボタンの上下運動によって内容物を容器から外へ吸い出すために、本体の内部に搭載された手動式ポンプ；ボタンが、手動式ポンプと連通するように、手動式ポンプの頂部上に搭載された、中空構造を有するボタン、ここでボタンは、手動式ポンプと連通する垂直な溝、および垂直な溝から延びる水平な溝を含んでいる；ボタンにおける水平溝中に搭載された噴霧ノズル；噴霧ノズルを含むボタンの前端部分がそこで露出される一方の側、および本体と回転可能にカップリングされている他方の側を有するトリガー；およびトリガーおよび本体の回転カップリング部分に備えられたロッキング装置；を含む小型手動式噴霧器に関する。
【背景技術】
【０００２】
手動式噴霧器は、ポンプ操作毎に、容器中に貯蔵された液体内容物の特定の容量を投与するのに役立つ。そのような手動式噴霧器は、浴用剤または防虫剤のような液体内容物を貯蔵する容器にしばしば適用される。
【０００３】
特に、小型手動式噴霧器は、手動式噴霧器が容器中に貯蔵された液体内容物を小容量の単位で容易に噴霧させうるため、化粧品または香水の容器用に広く使用されており、そして当該技術が着実に開発されてきた。
【０００４】
従来の小型手動式噴霧器は主として、噴霧器の外部を形成する本体；本体内部のボタンの上下運動によって内容物を吸い出すためのポンプ；その中に形成され、そしてポンプの頂部上に搭載されている、噴霧ノズルを含むボタン；およびボタンの前端部分がそこで露出される一方の側を有するトリガー、ここで、トリガーのハンドルが引っ張ることができるように、トリガーが本体にカップリングされている；を含む。
【０００５】
しかしながら、この従来の小型手動式噴霧器は、トリガーが押し下げられるや否や内容物が投与されるという点で問題がある。つまり、使用者が噴霧器を落としたため、またはトリガーに故意でなく外力がかけられたため、トリガーが故意でなく押し下げられたときに、噴霧器が直ちに作動して内容物が放出される。
【０００６】
そのような、噴霧器の故意でない作動を防ぐために、キャップが噴霧器のノズルに取り付けられ得る。しかしながら、これには、噴霧器が使用される時に、キャップを取り除いて別の位置に置くという追加の煩わしいプロセスが必要となる。また、キャップは失くされ易い。
【０００７】
これらの課題を克服するために、キャップをノズル上に一体化して搭載し得る。しかしながら、キャップを外した後噴霧器を作動させるときに、キャップがノズルの近くに置かれているため、キャップが噴霧の邪魔になり得る。
【０００８】
そのような問題を克服するために、種々の構造を有する小型手動式噴霧器が開発されてきたものの、現在のところ、満足できる結果を供する実用的な小型手動式噴霧器は全くない。
【発明の概要】
【発明が解決しようとする課題】
【０００９】
従って、本発明は上記問題を考慮してなされ、そして本発明の目的は、噴霧器を落とす、またはトリガーに故意でなく外力がかけられたことによる、トリガーが故意でなく押し下げられることを防ぐために、噴霧の邪魔をしない位置にロッキング装置を備えた小型手動式噴霧器を供することである。
【課題を解決するための手段】
【００１０】
本発明の態様によると、上記および他の目的は、少量の内容物を噴霧するための小型手動式噴霧器を供することによって達成でき、その噴霧器は（ａ）噴霧器の外部を形成する本体、ここで本体は、内容物を保持する容器の頂部にカップリングされている；（ｂ）ボタンの上下運動によって内容物を容器から外へ吸い出すために、本体の内部に搭載された手動式ポンプ；（ｃ）ボタンが、手動式ポンプと連通するように、手動式ポンプの頂部上に搭載された、中空構造を有するボタン、ここで、ボタンは、手動式ポンプと連通する垂直な溝、および垂直な溝から延びる水平な溝を含む；（ｄ）ボタンにおける水平溝中に搭載された噴霧ノズル；（ｅ）噴霧ノズルを含むボタンの前端部分がそこで露出される一方の側、およびトリガーのハンドルが引かれたときに、トリガーがボタンを下方に押し、そしてハンドルが開放されたときに、トリガーが復元力のために元の位置に戻るように、本体と回転可能にカップリングされる他方の側を有するトリガー；および（ｆ）トリガーおよび本体の回転カップリング部分に備えられたロッキング装置、ここでロッキング装置は、必要に応じて本体に対してトリガーの操作を可能または不可能ならしめる；を含み、トリガー上の、回転カップリング部分の前方部分に、下方に延びる内部リブが形成され、本体の内部の、内部リブに対応する位置に、上方に延びる突き出し部分が形成され、内部リブと突き出し部分が、それらの間に空隙を形成するように、互いから離れて間隔を開けられ、トリガーのハンドルが引かれたときに、空隙によってトリガーが本体に対して回転でき、トリガーがロックされた状態にあるときに、ロッキング装置の前端部分が、内部リブと突き出し部分の間の空隙内に挿入される。
【図面の簡単な説明】
【００１１】
【図１】本発明の実施態様に記載の小型手動式噴霧器の模式的な断面図である。
【図２】図１の本体の斜視図である。
【図３】図２の本体の模式的な垂直断面図である。
【図４】図１のボタンの斜視図である。
【図５】図１の噴霧ノズルの斜視図である。
【図６】図１のトリガーの模式的な断面図である。
【図７】図１のロッキング装置の斜視図である。
【図８】図１のロッキング装置がロックされていない状態にあるときの、小型手動式噴霧器の断面図である。
【図９】図８の状態においてトリガーが引かれたときの、小型手動式噴霧器の断面図である。
【図１０】図１の小型手動式噴霧器の操作シーケンスを説明するための斜視図である。
【発明を実施するための形態】
【００１２】
上記構造を有する本発明の小型手動式噴霧器において、使用者が噴霧器を使用したくないときに、トリガーの操作を不可能ならしめるために、使用者はトリガーおよび本体の回転カップリング部分に置かれたロッキング装置を下方に押し得て、そして使用者が噴霧器を使用したいときに、容器中に貯蔵された内容物を望まれる位置へ投与するべく、トリガーの操作を可能ならしめるために、使用者はロッキング装置を上方に動かし得る。
【００１３】
噴霧器が作動されるときに、ロッキング装置がトリガーおよび本体の間の回転カップリング部分に置かれている故に、ノズルは、ロッキング装置によって制約されることなく、吸い出された内容物を容器から望まれる位置へ噴霧することができる。
【００１４】
好ましい実施態様において、下方に延びる内部リブは、回転カップリング部分の前方部分でトリガー上に形成され、上方に延びる突き出し部分は、内部リブに対応する位置で本体の内部に形成され、内部リブおよび突き出し部分は、それらの間に空隙を形成するように、互いから離れて間隔を開けられ、ここで、トリガーのハンドルが引かれたときに、空隙によってトリガーが本体に対して回転でき、そしてトリガーがロックされた状態にあるときに、ロッキング装置の前端部分が、内部リブおよび突き出し部分の間の空隙内に挿入される。
【００１５】
小型手動式噴霧器は、トリガーのハンドルが引かれたときに、ボタンを押し下げて内容物を投与するために、トリガーがある角度だけ下方に回転されるという原理に基づいて作動する。そのような作動を制約するためにロッキング装置が押し下げられるときに、ロッキング装置の前端部分が、トリガーの内面上に形成される内部リブと、内部リブに対応する位置で本体中に形成される、上方に延びる突き出し部分の間の間隙内に挿入される。
【００１６】
従って、トリガーの内部リブと、本体中の突き出し部分の間の空隙内に、ロッキング装置が挿入されまたはそこから取り除かれる故に、トリガーの操作は容易に可能または不可能ならしめることができる。
【００１７】
この場合、ロッキング装置は、トリガーの操作を不可能または可能ならしめるために、空隙内に挿入されまたはそこから取り除かれるロッキング部分；および、噴霧器から露出されながらロッキング部分から延びている操作部分を含む、ここで操作部分は、ロッキング部分が空隙内に挿入されまたはそこから取り除かれるように操作されている。
【００１８】
ロッキング装置のこの構造によると、トリガーの内部リブ、および本体中の突き出し部分の間の空隙にロッキング部分が挿入される故に、ロッキング装置は、噴霧器を落としたりまたはトリガーに故意でなく外力がかけられたことによる、トリガーが故意でなく押し下げられることを防ぐことができる。ロッキング部分もまた、ロッキング部分から延び、そして噴霧器から露出される操作部分を用いて、空隙内に容易に挿入され、そしてそこから取り除くことができる。
【００１９】
操作部分は、ロッキング部分にヒンジ状に接続される支持部を含み得る。
【００２０】
従って、操作部分が上方に動かされるときに、ロッキング部分が、トリガーの内部リブ、および突き出し部分の間の空隙から容易に取り除くことができるように、ロッキング部分にヒンジ状に接続された支持部が曲げられる。
【００２１】
別の例において、ロッキング部分が下方に動かされるときにトリガーを固定するために、支持部が内部リブと接触するようになるように、そしてロッキング部分が下方に動かされるときに支持部が上方に動かされるようにロッキング装置は構成され得る。
【００２２】
上述の通り、ロッキング部分および支持部はジョイントで互いに接続される。例えば、ロッキング部分および支持部がジョイントで容易に曲がることができるように、ロッキング部分および支持部の間のジョイントの下方部分に溝が形成され得る。
【００２３】
好ましくは、操作部分が上方向に操作される（または動かされる）ときに、支持部が本体の上方内面と密に接触した状態になるように、支持部は本体の上方部分に対応する形状を有する。
【００２４】
ロッキング部分がトリガーの内部リブとの接触状態を保持しながらトリガーの回転を容易に制御できるならば、ロッキング部分の形状は特に制限されない。例えば、ロッキング部分は水平の板形状に（つまり、上方から見たときに板の形状に）形成され得る。
【００２５】
使用者が操作部分を容易に押し下げることができるならば、ロッキング装置の操作部分の形状は特に制限されない。例えば、使用者が指で操作部分を容易に押し下げることができるように、本体から露出している操作部分の一部が、水平の半円形（つまり、上方から見たときに半円形）に形成され得る。
【００２６】
噴霧ノズルは、噴霧ノズルの外面上に形成された複数のリブを含み得て、そして容器中の内容物が、噴霧ノズルのリブおよびボタンの内面の間に形成された流路を通して投与され得る。例えば、リブは放射線状にまたは対称的に形成され得る。このことによって、容器中に貯蔵された内容物が、噴霧ノズルのリブを通過する際に、広く分散され得るようになる。
【００２７】
本発明の上記およびその他の目的、特徴および利点は、添付図面と関連付けて、以下の詳細な記述からより明らかに理解されるであろう：
【００２８】
本発明の実施態様を、図面を参照して述べる。尚、実施態様の記述は単に本発明のより良い理解のために与えられるのであり、そして本発明の範囲は実施態様によって制限されるものではない。
【００２９】
図１は、本発明の実施態様に記載の小型手動式噴霧器の模式的な断面図である。
【００３０】
図１において示される如く、小型手動式噴霧器１００は本体１０、手動式ポンプ２０、ボタン３０、噴霧ノズル４０、トリガー５０、およびロッキング装置６０を含む。本体１０は小型手動式噴霧器１００の外部を形成し、そして内容物を保有する容器（示されていない）の頂部にカップリングされる。手動式ポンプ２０は本体１０の内部に搭載され、そしてボタン３０の上下運動によって内容物を容器から外へ吸い出す。ボタン３０は中空構造を有し、そしてボタン３０が手動式ポンプ２０と連通するように、手動式ポンプ２０の頂部上に搭載される。噴霧ノズル４０は、ボタン３０内に形成される水平溝中に搭載される。噴霧ノズル４０を含むボタン３０の前端部分は、トリガー５０の一方の側に露出され、一方、トリガー５０の他方の側は本体１０に回転可能にカップリングされる。ロッキング装置６０は、トリガー５０および本体１０が互いに回転可能にカップリングされる回転カップリング部分に置かれている。
【００３１】
図１は、ロックされた状態における小型手動式噴霧器１００のロッキング装置６０を説明しており、ここでロッキング装置６０が、内部リブ５５との接触状態を保持しながら、トリガー５０の内部リブ５５および本体１０の突起部分１５の間に挿入され、このことによってトリガー５０の下方への回転が防がれる。
【００３２】
図２は図１の本体の模式的な斜視図であり、そして図３は図２の本体の模式的な垂直断面図である。
【００３３】
図１と組合せて、図２および３を参照すると、本体１０は、開放頂部１２を持つ実質的に円筒状の本体１１を有する。
【００３４】
本体１０は、前方部分１３を通して本体１０の内部が露出されるように、Ｕ形に切り出される前方部分１３を有する。このことによってトリガー５０のハンドルの下方への回転のために必要なスペースが確保される。
【００３５】
本体１０の後方部分１４は、ロッキング装置６０のアーチ形支持部が本体の後方部分１４の内面と密接できるように、円筒体１１の外面の中間部分から頂部へとサイズが徐々に増す、外側に突き出した形を有する。突起部分１５は、突起部分１５がロッキング装置６０の構成部品であるロッキング部分と接触するように、後方部分１４の内面上に形成される。
【００３６】
本体１０はその底部でカップリング溝１６を有する。カップリング溝１６は、内容物を保持する容器へのカップリングのための良好なシールを供するためにきつくねじ込まれる。本体１０もまた、その上方部分で凹状の溝１７を有する。
【００３７】
図４は図１のボタンの模式的な斜視図であり、そして図５は図１の噴霧ノズルの模式的な斜視図である。
【００３８】
図１と組合せて、図４および５を参照すると、ボタン３０は垂直溝３１、水平溝３２、および突起３３を含む。垂直溝３１および水平溝３２の各々は中空の円筒状構造を有する。水平溝３２は垂直溝３１から延び、そして外側に突き出る突起３３は、垂直溝３１および水平溝３２の間の曲がったジョイント上に形成される。
【００３９】
噴霧ノズル４０は、円筒状シャフト４１、および円筒状シャフト４１の外面上に放射状に形成されるリブ４２を含む。噴霧ノズル４０は、放射状の流路がリブ４２、および水平溝３２の内面の間に形成されるように、ボタン３０の水平溝３２の内部に搭載される。トリガー５０のハンドルが引かれるときに、内容物が最初に垂直溝３１を通過し、そして次に水平溝３２および噴霧ノズルのリブ４２の間に形成される放射状流路を通過する際に、広く分散される。
【００４０】
図６は、図１のトリガーの模式的な断面図である。
【００４１】
図１および３を組合せて、図６を参照すると、トリガー５０は、本体１０の頂部に置かれたカバー５１、および噴霧器を作動させるためのハンドル５２を含む。
【００４２】
カバー５１はアーチ形状をしており、そして本体１０の開放頂部を覆う。カバー５１はボタン３０を押し下げるためのボタン押し下げ部分５３、トリガーガイド５４、内部リブ５５、およびカバー５１を本体１０に回転可能にカップリングさせるためのカップリング部分５６を含む。
【００４３】
ボタン押し下げ部分５３は、ボタン３０に対応する位置で、カバー５１の内面上に形成される。ボタン押し下げ部分５３は、トリガー５０が下方に回転されるときに、ボタン押し下げ部分５３がボタン３０を下方に押すことができるように、ボタン３０を押し下げるためのある高さで突き出ている。内部リブ５５はカバー５１の後方内面から下方に延びる。上方に延びる突起部分１５は、トリガー５０の内部リブ５５に対応する位置で、本体１０の内部に形成される。
【００４４】
内部リブ５５および突起部分１５は、その間で空隙を形成し、それによって、トリガー５０のハンドル５２が引かれたときに、本体１０に対してトリガー５０の回転が可能となるように、互いから離れて間隔を開けられている。トリガー５０がロックされた状態にあるときに、内部リブ５５および突起部分１５の間の空隙内にロッキング装置６０の前端部分が挿入される。
【００４５】
カップリング部分５６はトリガー５０の内部リブ５５の後方側に置かれ、そして円形の突起の形で形成される。カップリング部分５６は、本体１０をトリガー５０にカップリングさせるために、凹状の溝１７中に挿入される。
【００４６】
トリガー５０のハンドル５２は、ハンドル５２が指で容易に掴むことができるように、カバー５１の左側から下方にある長さまで延びる。放射状の流路の出口５７はハンドル５２の上方部分で露出される。
【００４７】
図７は、図１のロッキング装置の模式的な斜視図である。
【００４８】
図１および６を組合せて、図７を参照すると、ロッキング装置６０は、トリガー５０の操作を可能または不可能ならしめるためのロッキング部分６１、およびロッキング装置６０を上方または下方に操作するために、噴霧器１００の外側に露出される操作部分６２を含む。
【００４９】
ロッキング部分６１は、ロッキング部分６１がトリガー５０の内部リブ５５および本体１０の突起部分１５の間の空隙内に容易に挿入されまたはそこから取り除かれるように、水平の板の形に（つまり、上方から見たときに板の形に）形成されている。ロッキング部分６１が下方に動かされるときに、ロッキング部分６１は、トリガー５０を固定するために、トリガー５０の内部リブ５５と接触するようになる。
【００５０】
操作部分６２の一部は、小型手動式噴霧器１００の外側に露出されている。操作部分６２の露出された部分は、水平の半円形（つまり、上方から見たときに半円形）をしており、そして操作部分６２の底は支持部６３に接続されている。
【００５１】
支持部６３の底部は、ロッキング部分にヒンジ状に接続されている。溝６４は、ジョイントで曲がることを助けるために、ロッキング部分６１および支持部６３の間のジョイントの下方部分に形成される。
【００５２】
支持部６３は、支持部が本体１０の上方部分に対応する形状を有し、そして操作部分６２が上方向に操作されるときに、本体１０の上方内面と密接した状態になる。
【００５３】
図８は、図１のロッキング装置がロックされていない状態にあるときの、小型手動式噴霧器の模式的な断面図であり、そして図９は、図８の状態においてトリガーが引かれたときの、小型手動式噴霧器の模式的な断面図である。
【００５４】
図８において示される如く、ロッキング装置６０の操作部分６２が上方に動かされるときに、トリガーの操作が可能になる。操作部分６２が上方に動かされるにつれて、ロッキング部分６１および支持部６３も上方に動かされ、一方、ロッキング部分６１は、トリガー５０の内部リブ５５および本体１０の突起部分１５の間から取り除かれる。支持部６３およびロッキング部分６１の間のジョイントは、ロッキング装置６０が上方に動かされるときに、ロッキング装置６０がジョイントで容易に曲がるように、ヒンジ構造６４を有する。本体１０の内面と密接した状態を保持しながら、そのことによって、トリガー５０の内部リブ５５および本体１０の突起部分１５の間の空隙を開けながら、支持部６３は上方に動かされる。
【００５５】
従って、図９において示される如く、トリガー５０は、ロッキング装置６０のロッキング部分６１がトリガー５０の内部リブ５５と接触するようになるまで、下方に回転される。ここで、トリガー５０のハンドル５２は、本体１０の凹状の溝（示されていない）およびトリガー５０のカップリング部分５６の両方に対応する軸の周りに回転される。
【００５６】
トリガー５０が下方に回転される間、トリガー５０のトリガーガイド５４はボタン３０を下方に押す。このことによって手動式ポンプ２０は容器（示されていない）中の内容物を吸い出すことが可能となる。吸い出された内容物はボタン３０の垂直溝３１および水平溝３２を通過し、そして次に噴霧器から放出される。
【００５７】
図１０は、図１の小型手動式噴霧器の操作シーケンスを説明するための模式的な斜視図である。
【００５８】
図１０において示される如く、最初に、ロックされた状態にあるロッキング装置６０の操作部分６２が上方に動かされる。次いで、Ｕ形状に開かれている本体１０の前方部分１３を通してハンドル５２が下方に回転されるように、トリガー５０のハンドル５２が引かれる。このことによって、トリガー５０がボタン（示されていない）を押し下げることが可能となり、容器（示されていない）中に貯蔵された内容物をポンプが吸い出すことになる。その結果、内容物が噴霧器の外側の望まれる位置へ均一に噴霧される。
【産業上の利用可能性】
【００５９】
本発明に記載の小型手動式噴霧器は、噴霧器を落としたりまたはトリガーに故意でなく外力がかけられたことによる、トリガーが故意でなく押し下げられることを防ぎ、そのことによって、ロッキング装置が噴霧を邪魔しない位置に供される故に、内容物の損失を防ぐ。
【００６０】
本発明の好ましい実施態様が説明目的のために開示されているものの、当業者は、付随の請求項に開示された本発明の範囲および精神から逸脱することなく、種々の修正、追加および置換が可能であると理解するであろう。
【図１】
0005597632.tif 000002
【図２】
0005597632.tif 000003
【図３】
0005597632.tif 000004
【図４】
0005597632.tif 000005
【図５】
0005597632.tif 000006
【図６】
0005597632.tif 000007
【図７】
0005597632.tif 000008
【図８】
0005597632.tif 000009
【図９】
0005597632.tif 000010
【図１０】
0005597632.tif 000011